(57)【要約】【課題】容易に回路を切り離すことができる太陽光発電装置を提供するものである。【解決手段】実施形態の太陽光発電装置は、直列に接続され、直流電力を発電する複数の太陽電池と、前記太陽電池により発電された直流電力を交流電力に変換するパワーコンディショナと、前記太陽電池と前記パワーコンディショナとの間に設置され、前記太陽電池と前記パワーコンディショナとを電気的に接続あるいは開放させるスイッチを備える開閉器と、前記開閉器を収納する接続箱と、前記接続箱の外部から、前記太陽電池と前記パワーコンディショナとを電気的に開放させる方向に前記スイッチを切り替える切替手段とを有する。【選択図】図２
2015005624.tif 000002
【特許請求の範囲】
【請求項１】
直列に接続され、直流電力を発電する複数の太陽電池と、
前記太陽電池により発電された直流電力を交流電力に変換するパワーコンディショナと、
前記太陽電池と前記パワーコンディショナとの間に設置され、前記太陽電池と前記パワーコンディショナとを電気的に接続あるいは開放させるスイッチを備える開閉器と、
前記開閉器を収納する接続箱と、
前記接続箱の外部から、前記太陽電池と前記パワーコンディショナとを電気的に開放させる方向に前記スイッチを切り替える切替手段と
を有する太陽光発電装置。
【請求項２】
前記切替手段は、
前記接続箱の外部に設けられる押しボタンと、
前記接続箱の内部に、前記押しボタンと接離可能に設けられ、前記押しボタンが接することにより所定の角度範囲で回転し、前記太陽電池と前記パワーコンディショナとを電気的に開放させる方向に前記スイッチを切り替える回転機構と
を有する請求項１に記載の太陽光発電装置。
【請求項３】
前記切替手段は、
前記スイッチに設けられ、前記太陽電池と前記パワーコンディショナとを電気的に開放させる方向に前記接続箱の外部に両端が引き出されたワイヤーケーブルと、
前記ワイヤーケーブルの前記両端に取り付けられたハンドリングと
を有する請求項１に記載の太陽光発電装置。
【請求項４】
直流電力を発電する複数の太陽電池と、
前記太陽電池の陽極に電気的に接続される陽極ケーブルと、
前記太陽電池の陰極に電気的に接続される陰極ケーブルと、
前記陽極ケーブルに接続される第１陽極コネクタと、
前記陰極ケーブルに接続され、前記陽極コネクタとともに前記複数の太陽電池を直列に接続させる第１陰極コネクタと、
前記太陽電池により発電された直流電力を交流電力に変換するパワーコンディショナと、
前記太陽電池間の接続を開放させる開放手段と
を有する太陽光発電装置。
【請求項５】
前記開放手段は、
前記第１陽極コネクタに接続される第２陰極コネクタと、
前記第１陰極コネクタに接続される第２陽極コネクタと、
一端が前記第２陰極コネクタと接続される第１接続ケーブルと、
一端が前記第２陽極コネクタと接続される第２接続ケーブルと、
前記第１接続ケーブルの他端に接続され、内部に導電性を有する第１磁石を備える第１接続コネクタと、
前記第２接続ケーブルの他端に接続され、内部に導電性を有し、前記第１磁石に吸着する第２磁石を備える第２接続コネクタと、
前記第１接続ケーブルあるいは前記第２接続ケーブルに取り付けられるワイヤーケーブルと、
前記ワイヤーケーブルの端部に取り付けられたハンドリングと
を有する請求項４に記載の太陽光発電装置。
【請求項６】
前記開放手段は、
開放箱に収納される第１アーム部材および第２アーム部材を備え、互いに接続された前記第１陽極コネクタおよび前記第１陰極コネクタの両端が前記第１アーム部材の一端あるいは前記第２アーム部材の一端に固定されるとともに、前記第１アーム部材の一端と前記第２アーム部材の一端とで狭持され、前記第１アーム部材の他端が前記開放箱に対して固定される洗濯ばさみ状部材と、
前記第２アーム部材の他端に取り付けられ、前記第１アーム部材方向に引き伸ばされたワイヤーケーブルと、
前記ワイヤーケーブルの端部に取り付けられ、前記ワイヤーケーブルを引っ張った状態で保持するストッパーを備える操作ハンドルと
を有する請求項４に記載の太陽光発電装置。
【請求項７】
前記開放手段は、
一端に第１歯を備える第１挟持部材と、
前記第１歯に対向配置されるとともに前記第１歯との間に前記陽極ケーブルおよび前記陰極ケーブルが位置する第２歯を一端に備え、他端が前記第１狭持部材の他端と接続される第２挟持部材と、
前記第１挟持部材と前記第２挟持部材との間に設けられ、前記第１歯と前記第２歯との間に所定の間隔を設ける弾性部材と、
前記第１挟持部材に取り付けられ、前記第２挟持部材方向に引き伸ばされたワイヤーケーブルと、
前記ワイヤーケーブルの端部に取り付けられ、前記ワイヤーケーブルを引っ張った状態で保持するストッパーを備える操作ハンドルと
を有する請求項４に記載の太陽光発電装置。
【発明の詳細な説明】
【技術分野】
【０００１】
本発明の実施形態は、太陽光発電装置に関する。
【背景技術】
【０００２】
一般的な太陽光発電装置において、複数の太陽電池が直列に接続され、太陽電池ストリングが形成される。複数の太陽電池ストリングを並列化させ、パワーコンディショナに接続させる接続箱内には、太陽電池ストリング単位での回路の切り離しを行う開閉器が設置される。
【０００３】
また、パワーコンディショナの入力部にも開閉器が組み込まれる場合がある。
【０００４】
太陽電池からの出力に異常があった場合には、例えばパワーコンディショナ内の開閉器や接続箱内の開閉器を非通電状態とすることにより、太陽電池からの電力が遮断される。
【先行技術文献】
【特許文献】
【０００５】
【特許文献１】特開２０１３−３８３４５号公報
【発明の概要】
【発明が解決しようとする課題】
【０００６】
このような太陽光発電装置が設置されている家屋に火災等の災害が発生した場合、消火活動の妨げとなるため、太陽光発電装置を停止する必要がある。
【０００７】
しかし、接続箱は外部からは操作できない構造であり、開ける際にも鍵等を要するため素早く操作することは難しい。
【０００８】
パワーコンディショナは宅内に設置されている場合もあり、災害発生時は操作が困難となる可能性がある。
【０００９】
たとえパワーコンディショナが停止していても、接続箱からパワーコンディショナまでの配線は、接続箱で並列化され、通電電流も大きくなっており、場合によっては作業員が感電する危険性もある。
【００１０】
そこで本発明の実施形態はこれらの課題を解決するために、容易に回路を切り離すことができる太陽光発電装置を提供するものである。
【課題を解決するための手段】
【００１１】
上記課題を達成するために、実施形態の太陽光発電装置は、直列に接続され、直流電力を発電する複数の太陽電池と、前記太陽電池により発電された直流電力を交流電力に変換するパワーコンディショナと、前記太陽電池と前記パワーコンディショナとの間に設置され、前記太陽電池と前記パワーコンディショナとを電気的に接続あるいは開放させるスイッチを備える開閉器と、前記開閉器を収納する接続箱と、前記接続箱の外部から、前記太陽電池と前記パワーコンディショナとを電気的に開放させる方向に前記スイッチを切り替える切替手段とを有する。
【図面の簡単な説明】
【００１２】
【図１】第１の実施形態に係る太陽光発電装置の構成を示すブロック図。
【図２】第１の実施形態に係る太陽光発電装置の操作箱の構成を示す側面図。
【図３】第１の実施形態に係る太陽光発電装置の第１開閉器の構成を示す正面図。
【図４】第２の実施形態に係る太陽光発電装置の操作箱の構成を示す側面図。
【図５】第２の実施形態に係る太陽光発電装置の第１開閉器の構成を示す正面図。
【図６】第３の実施形態に係る太陽光発電装置の構成を示すブロック図。
【図７】第３の実施形態に係る太陽光発電装置の開放手段の構成を示す説明図。
【図８】第４の実施形態に係る太陽光発電装置の開放手段の構成を示す説明図。
【図９】第４の実施形態に係る太陽光発電装置の開放手段における操作ハンドルの構成を示す説明図。
【図１０】第５の実施形態に係る太陽光発電装置の開放手段の構成を示す説明図。
【発明を実施するための形態】
【００１３】
以下、実施形態について図面を用いて説明する。
【００１４】
（第１の実施形態）
図１は第１の実施形態に係る太陽光発電装置の構成を示すブロック図である。
【００１５】
本実施形態の太陽光発電装置１は、太陽電池２、陽極ケーブル３、陰極ケーブル４、陽極コネクタ５、陰極コネクタ６、接続箱８、パワーコンディショナ９、第１開閉器１０、宅内分電盤１２を有する。
【００１６】
太陽電池２は、太陽光の光エネルギーから直流電力を発電する装置、手段である。
【００１７】
太陽電池２の陽極には陽極ケーブル３が電気的に接続され、太陽電池２の陰極には陰極ケーブル４が電気的に接続される。
【００１８】
陽極ケーブル３には陽極コネクタ５が接続され、陰極ケーブル４には陰極コネクタ６が接続される。陽極コネクタ５と陰極コネクタ６とが互いに接続されることで複数の太陽電池２が直列に接続された太陽電池ストリング７が形成される。
【００１９】
接続箱８は、複数の太陽電池ストリング７を並列化させ、パワーコンディショナ９に接続させる。
【００２０】
接続箱８内には、太陽電池ストリング７単位での回路の切り離しを行う第１開閉器１０が設置される。
【００２１】
パワーコンディショナ９は、太陽電池２により発電された直流電力を交流電力に変換する装置、手段である。
【００２２】
パワーコンディショナ９の入力部には第２開閉器１１が組み込まれる。
【００２３】
宅内分電盤１２は、パワーコンディショナ９により変換された交流電力を図示しない宅内の家電機器に供給する装置、手段である。
【００２４】
図２は第１の実施形態に係る太陽光発電装置の操作箱の構成を示す側面図、図３は第１の実施形態に係る太陽光発電装置の第１開閉器の構成を示す正面図である。
【００２５】
第１開閉器１０は、太陽電池２とパワーコンディショナ９とを電気的に接続あるいは開放させるスイッチ１０１を有する。
【００２６】
接続箱８の外部には、押しボタン１０２が設けられ、接続箱の内部には回転機構１０３が設けられる。
【００２７】
回転機構１０３は、押しボタン１０２と接離可能に設けられ、押しボタン１０２が接することにより所定の角度範囲で回転する。
【００２８】
次に動作について、図２および図３を用いて説明する。
【００２９】
緊急時に作業員が押しボタン１０２を押下すると、押しボタン１０２が回転機構１０３に接し、回転機構１０３が所定の角度範囲で回転する。回転した回転機構１０３はスイッチ１０１に当たり、太陽電池２とパワーコンディショナ９とを電気的に開放させる方向（図２、図３中下方向）にスイッチ１０１を切り替える。
【００３０】
以上説明したように、この第１の実施形態に係る太陽光発電装置によれば、接続箱８の外部から第１開閉器１０のスイッチ１０１を操作することが可能となり、容易に太陽電池２とパワーコンディショナ９とを電気的に開放させることができる。
【００３１】
一番電流量の多い接続箱８とパワーコンディショナ９との間を電気的に遮断させることで、火災等の災害が発生した場合でも作業員が感電する危険性を低減することができる。
【００３２】
なお、図３に示すように本実施形態によれば、複数のスイッチ１０１を一括で操作することができる。
【００３３】
また、回転機構１０３を有することにより、作業員は押しボタン１０２を押下するだけで容易に第１開閉器１０のスイッチ１０１を操作することが可能となる。
【００３４】
（第２の実施形態）
第２の実施形態の構成について、図面を用いて説明する。なお、第１の実施形態と同一部分は同一符号で示し、説明は省略する。以下、第１の実施形態と異なる部分について説明する。
【００３５】
図４は第２の実施形態に係る太陽光発電装置の操作箱の構成を示す側面図、図５は第２の実施形態に係る太陽光発電装置の第１開閉器の構成を示す正面図である。
【００３６】
この第２の実施形態が、第１の実施形態と異なる点は接続箱８、第１開閉器１０にある。
【００３７】
第１開閉器１０は、太陽電池２とパワーコンディショナ９とを電気的に接続あるいは開放させるスイッチ１０１を有し、スイッチ１０１は貫通穴が設けられたスイッチキャップ２０１を端部に備える。
【００３８】
ワイヤーケーブル２０２は、スイッチキャップ２０１の貫通穴を通り、太陽電池２とパワーコンディショナ９とを電気的に開放させる方向（図４、図５中下方向）に接続箱８の外部に両端が引き出される。
【００３９】
ハンドリング２０３は、ワイヤーケーブル２０２の両端に取り付けられる。
【００４０】
また、ワイヤーケーブル２０２は保護カバー２０４により保護される。
【００４１】
次に動作について、図４および図５を用いて説明する。
【００４２】
緊急時に作業員がハンドリング２０３を引き下げると、ワイヤーケーブル２０２を介してスイッチ１０１が太陽電池２とパワーコンディショナ９とを電気的に開放させる方向（図４、図５中下方向）に切り替わる。
【００４３】
以上説明したように、この第２の実施形態に係る太陽光発電装置によれば、接続箱８の外部から第１開閉器１０のスイッチ１０１を操作することが可能となり、容易に太陽電池２とパワーコンディショナ９とを電気的に開放させることができる。
【００４４】
一番電流量の多い接続箱８とパワーコンディショナ９との間を電気的に遮断させることで、火災等の災害が発生した場合でも作業員が感電する危険性を低減することができる。
【００４５】
なお、図５に示すように接続箱８内に第１開閉器１０が複数存在する場合でも同時に開放させることができ、この場合、複数の第１開閉器１０がそれぞれ水平に配置されていなくてもよい。
【００４６】
また、第１の実施形態における回転機構１０３を省略できるため、第１の実施形態と比較して接続箱８を小さくすることができる。
【００４７】
（第３の実施形態）
第３の実施形態の構成について、図面を用いて説明する。
【００４８】
図６は第３の実施形態に係る太陽光発電装置の構成を示すブロック図である。
【００４９】
本実施形態の太陽光発電装置１は、太陽電池２、陽極ケーブル３、陰極ケーブル４、第１陽極コネクタ１３、第１陰極コネクタ１４、接続箱８、パワーコンディショナ９、第１開閉器１０、宅内分電盤１２を有する。
【００５０】
太陽電池２は、太陽光の光エネルギーから直流電力を発電する装置、手段である。
【００５１】
太陽電池２の陽極には陽極ケーブル３が電気的に接続され、太陽電池２の陰極には陰極ケーブル４が電気的に接続される。
【００５２】
陽極ケーブル３には第１陽極コネクタ１３が接続され、陰極ケーブル４には第１陰極コネクタ１４が接続される。第１陽極コネクタ１３と第１陰極コネクタ１４とが互いに接続されることで複数の太陽電池２が直列に接続された太陽電池ストリング７を形成する。
【００５３】
接続箱８は、複数の太陽電池ストリング７を並列化させ、パワーコンディショナ９に接続させる。
【００５４】
接続箱８内には、太陽電池ストリング７単位での回路の切り離しを行う第１開閉器１０が設置される。
【００５５】
パワーコンディショナ９は、太陽電池２により発電された直流電力を交流電力に変換する装置、手段である。
【００５６】
パワーコンディショナ９の入力部には第２開閉器１１が組み込まれる。
【００５７】
宅内分電盤１２は、パワーコンディショナ９により変換された交流電力を図示しない宅内の家電機器に供給する装置、手段である。
【００５８】
太陽電池２間には、開放手段１５が設けられる。
【００５９】
図７は、第３の実施形態に係る太陽光発電装置の開放手段の構成を示す説明図である。
【００６０】
開放手段１５は、第１接続ケーブル３０１、第２陰極コネクタ３０２、第１接続コネクタ３０３、第２接続ケーブル３０４、第２陽極コネクタ３０５、第２接続コネクタ３０６、開放箱３０９、支持柱３１０、ワイヤーケーブル３１１、ハンドリング３１２、保護カバー３１３、第３磁石３１４を有する。
【００６１】
第１接続ケーブル３０１の一端には第２陰極コネクタ３０２が接続され、他端には第１接続コネクタ３０３が接続される。
【００６２】
第２接続ケーブル３０４の一端には第２陽極コネクタ３０５が接続され、他端には第２接続コネクタ３０６が接続される。
【００６３】
第２陰極コネクタ３０２は第１陽極コネクタ１３に接続され、第２陽極コネクタ３０５は第１陰極コネクタ１４に接続される。
【００６４】
第１接続コネクタ３０３は、内部に導電性を有する第１磁石３０７を備え、同様に第２接続コネクタ３０６は、内部に導電性を有する第２磁石３０８を備える。
【００６５】
通常は第１磁石３０７と第２磁石３０８とが吸着することで通電状態が保持される。
【００６６】
第１接続コネクタ３０３および第２接続コネクタは、開放箱３０９内に収納され、第２接続ケーブル３０４を挟み込むように一対の支持柱３１０が開放箱３０９内に設けられる。
【００６７】
ワイヤーケーブル３１１は、第２接続コネクタ３０６と支持柱３１０との間に位置するように第２接続ケーブル３０４に取り付けられ、ワイヤーケーブル３１１の端部は開放箱３０９の外部に引き出される。
【００６８】
第２磁石３０８から見て、ワイヤーケーブル３１１が引き出される方向に第３磁石３１４が開放箱３０９内に固定される。
【００６９】
ワイヤーケーブル３１１の端部にはハンドリング３１２が取り付けられる。また、ワイヤーケーブル３１１は保護カバー３１３により保護される。
【００７０】
なお、第１接続ケーブル３０１を挟み込むように一対の支持柱３１０が開放箱３０９内に設けられ、第１接続コネクタ３０３と支持柱３１０との間に位置するようにワイヤーケーブル３１１が第１接続ケーブル３０１に取り付けられてもよい。
【００７１】
次に動作について、図７を用いて説明する。
【００７２】
緊急時に作業員がハンドリング３１２を引き下げると、ワイヤーケーブル３１１が取り付けられた第２接続ケーブル３０４は、支持柱３１０を支点に下方向に曲がり、第１磁石３０７と第２磁石３０８が離れる。そのことにより、太陽電池２間の接続が開放される。
【００７３】
このとき、第１磁石３０７と離れた第２磁石３０８は、第３磁石３１４と吸着され、開放状態が維持される。
【００７４】
以上説明したように、この第３の実施形態に係る太陽光発電装置によれば、容易に太陽電池２間の接続を開放させることができ、太陽電池ストリング７と接続箱８との間を電気的に遮断させることができる。そのことにより、災等の災害が発生した場合でも作業員が感電する危険性を低減することができる。
【００７５】
（第４の実施形態）
第４の実施形態の構成について、図面を用いて説明する。なお、第３の実施形態と同一部分は同一符号で示し、説明は省略する。以下、第３の実施形態と異なる部分について説明する。
【００７６】
図８は第４の実施形態に係る太陽光発電装置の開放手段の構成を示す説明図である。
【００７７】
この第４の実施形態が、第３の実施形態と異なる点は開放手段１５にある。
【００７８】
開放手段１５は、洗濯ばさみ状部材４０１、開放箱４０５、ワイヤーケーブル４０６、操作ハンドル４０７、保護カバー３１３を有する。
【００７９】
洗濯ばさみ状部材４０１は、第１アーム部材４０２、第２アーム部材４０３、弾性部材４０４を有し、開放箱４０５内に収納される。
【００８０】
第１陽極コネクタ１３の端部は、第１アーム部材４０２の一端４０２ａに固定され、第１陰極コネクタ１４の端部は、第２アーム部材４０３の一端４０３ａに固定される。
【００８１】
すなわち、互いに接続された第１陽極コネクタ１３および第１陰極コネクタ１４の両端は、第１アーム部材４０２の一端４０２ａと第２アーム部材４０３の一端４０３ａにより挟持される。
【００８２】
第１アーム部材４０２の他端４０２ｂは、開放箱４０５に対して固定される。
【００８３】
洗濯ばさみ状部材４０１は、第１アーム部材４０２の他端４０２ｂと第２アーム部材４０３の他端４０３ｂが引き合わされることにより、第１アーム部材４０２の一端４０２ａと第２アーム部材４０３の一端４０３ｂとが開放されるように構成される。
【００８４】
第１アーム部材４０２と第２アーム部材４０３の間には、弾性部材４０４が設けられ、通常時は第１アーム部材４０２の一端４０２ａと第２アーム部材４０３の一端４０３ａとが開放することを抑制するように作用する。弾性部材４０４は例えばバネである。
【００８５】
ワイヤーケーブル４０６は、第２アーム部材４０３の他端４０３ｂに取り付けられ、第１アーム部材４０２方向に引き伸ばされ、開放箱４０５の外部に引き出される。
【００８６】
ワイヤーケーブル４０６の端部には、操作ハンドル４０７が取り付けられ、ワイヤーケーブル４０６は保護カバー３１３により保護される。
【００８７】
図９は第４の実施形態に係る太陽光発電装置の開放手段における操作ハンドルの構成を示す説明図である。
【００８８】
操作ハンドル４０７は、ハンドル部４０７ａ、支持部４０７ｂ、ベース部４０７ｃ、ストッパー４０７ｄを有する。
【００８９】
ワイヤーケーブル４０６の端部は、ハンドル部４０７ａの端部に取り付けられる。
【００９０】
ハンドル部４０７ａは、支持部４０７ｂを介してベース部４０７ｃに取り付けられ、支持部４０７ｂを軸としてベース部４０７ｃ方向に所定の角度で回転可能である。
【００９１】
ベース部４０７ｃの端部にはストッパー４０７ｄが取り付けられ、ストッパー４０７ｄにより、任意の角度でハンドル部４０７ａが固定される。
【００９２】
次に動作について、図８、図９を用いて説明する。
【００９３】
緊急時に作業員が操作ハンドル４０７のハンドル部４０７ａを握ると、ハンドル部４０７ａの端部に取り付けられたワイヤーケーブル４０６が引っ張られる。
【００９４】
このとき、操作ハンドル４０７のストッパー４０７ｄにより、ワイヤーケーブル４０６を引っ張った状態が保持される。
【００９５】
ワイヤーケーブル４０６は、第２アーム部材４０３の他端４０３ｂに取り付けられ、開放箱４０５に対して固定された第１アーム部材４０２方向に引き伸ばされているため、ワイヤーケーブル４０６が引っ張られることにより、第１アーム部材４０２の他端４０２ｂと第２アーム部材４０３の他端４０３ｂが引き合わされる。
【００９６】
第１アーム部材４０２の他端４０２ｂと第２アーム部材４０３の他端４０３ｂが引き合わされることにより、第１アーム部材４０２の一端４０２ａと第２アーム部材４０３の一端４０３ｂとが開放され、第１陽極コネクタ１３と第１陰極コネクタ１４の接続も開放される。
【００９７】
以上説明したように、この第４の実施形態に係る太陽光発電装置によれば、太陽電池２間を繋ぐ第１陽極コネクタ１３と第１陰極コネクタ１４の接続を容易に開放させることができ、太陽電池ストリング７と接続箱８との間を電気的に遮断させることができる。そのことにより、災等の災害が発生した場合でも作業員が感電する危険性を低減することができる。
【００９８】
（第５の実施形態）
第５の実施形態の構成について、図面を用いて説明する。なお、第３の実施形態および第４の実施形態と同一部分は同一符号で示し、説明は省略する。以下、第３の実施形態および第４の実施形態と異なる部分について説明する。
【００９９】
図１０は第５の実施形態に係る太陽光発電装置の開放手段の構成を示す説明図である。
【０１００】
この第５の実施形態が、第３の実施形態および第４の実施形態と異なる点は開放手段１５にある。
【０１０１】
開放手段１５は、第１狭持部材５０１、第２狭持部材５０２、弾性部材５０３、ワイヤーケーブル５０４、開放箱５０５、操作ハンドル４０７、保護カバー３１３を有する。
【０１０２】
第１挟持部材５０１および第２狭持部材５０２は開放箱５０５内に収納され、第１挟持部材５０１は一端に第１歯５０６を備える。同様に、第２狭持部材５０２は一端に第２歯５０７を備える。第１歯５０６と第２歯５０７は対向配置され、第１歯５０６と第２歯５０７との間に陽極ケーブル３および陰極ケーブル４が位置する。
【０１０３】
第１歯５０６および第２歯５０７は、例えば金属で作製され、導電性を有する。
【０１０４】
第１狭持部材５０１と第２狭持部材５０２との間には弾性部材５０３が設けられ、弾性部材５０３により通常時は第１歯５０６と第２歯５０７が陽極ケーブル３および陰極ケーブル４を挟み込まないように、第１歯５０６と第２歯５０７との間に所定の間隔が設けられる。弾性部材５０３は例えばバネである。
【０１０５】
第１狭持部材５０１の他端と第２狭持部材５０２の他端は互いに接続され、開放箱５０５に対して固定される（固定部５０８）。
【０１０６】
ワイヤーケーブル５０４は、第１狭持部材５０１に取り付けられ（支持点５０９）、第２狭持部材５０２方向に引き伸ばされ、開放箱５０５の外部に引き出される。
【０１０７】
ワイヤーケーブル５０４の端部には、操作ハンドル４０７が取り付けられ、ワイヤーケーブル５０４は保護カバー３１３により保護される。
【０１０８】
次に動作について、図１０を用いて説明する。
【０１０９】
緊急時に作業員が操作ハンドル４０７のハンドル部４０７ａを握ると、ハンドル部４０７ａの端部に取り付けられたワイヤーケーブル５０４が引っ張られる。
【０１１０】
このとき、操作ハンドル４０７のストッパー４０７ｄにより、ワイヤーケーブル４０６を引っ張った状態が保持される。
【０１１１】
ワイヤーケーブル５０４が引っ張られることにより、固定部５０８を起点として第１狭持部材５０１の第１歯５０６が第２狭持部材５０２の第２歯５０７方向に動き、第１歯５０６と第２歯５０７により陽極ケーブル３および陰極ケーブル４が挟み込まれる。そのことにより太陽電池２間が短絡状態となる。
【０１１２】
例えば、第１狭持部材５０１および第２狭持部材５０２が太陽電池ストリング７の中間位置に設置されると、太陽電池２間が短絡状態となることにより、接続箱８における太陽電池ストリング７の電圧は２分の１になる。
【０１１３】
同様に、太陽電池ストリング７の２箇所で均等に回路を分断し、短絡状態とすることで接続箱８における太陽電池ストリング７の電圧は３分の１になる。
【０１１４】
以上説明したように、この第５の実施形態に係る太陽光発電装置によれば、太陽電池２間を短絡状態とすることで、太陽電池ストリング７の電圧を減少させることができる。そのことにより、災等の災害が発生した場合でも作業員が感電する危険性を低減することができる。
【０１１５】
本発明のいくつかの実施形態について説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【０１１６】
１…太陽光発電装置
２…太陽電池
３…陽極ケーブル
４…陰極ケーブル
５…陽極コネクタ
６…陰極コネクタ
７…太陽電池ストリング
８…接続箱
９…パワーコンディショナ
１０…第１開閉器
１１…第２開閉器
１２…宅内分電盤
１３…第１陽極コネクタ
１４…第１陰極コネクタ
１５…開放手段
１０１…スイッチ
１０２…押しボタン
１０３…回転機構
２０１…スイッチキャップ
２０２，３１１…ワイヤーケーブル
２０３，３１２…ハンドリング
２０４…保護カバー
３０１…第１接続ケーブル
３０２…第２陰極コネクタ
３０３…第１接続コネクタ
３０４…第２接続ケーブル
３０５…第２陽極コネクタ
３０６…第２接続コネクタ
３０７…第１磁石
３０８…第２磁石
３０９，４０５，５０５…開放箱
３１０…支持柱
３１３…保護カバー
４０１…洗濯ばさみ状部材
４０２…第１アーム部材
４０３…第２アーム部材
４０４，５０３…弾性部材
４０６，５０４…ワイヤーケーブル
４０７…操作ハンドル
４０７ａ…ハンドル部
４０７ｂ…支持部
４０７ｃ…ベース部
４０７ｄ…ストッパー
５０１…第１狭持部材
５０２…第２狭持部材
５０６…第１歯
５０７…第２歯
【図１】
2015005624.tif 000003
【図２】
2015005624.tif 000004
【図３】
2015005624.tif 000005
【図４】
2015005624.tif 000006
【図５】
2015005624.tif 000007
【図６】
2015005624.tif 000008
【図７】
2015005624.tif 000009
【図８】
2015005624.tif 000010
【図９】
2015005624.tif 000011
【図１０】
2015005624.tif 000012